(57)【要約】  操作者に対して、品質を維持するための対策の要否を判定する際の情報を適切に提示することができる鉄鋼プラントのメンテナンス支援装置を提供する。鉄鋼プラントのメンテナンス支援装置は、同一層別内の品質精度の分布と対象の鋼材の品質精度との関係から深刻度を演算する演算部と、前記演算部により演算された深刻度の情報を表示装置に表示させる表示制御部と、を備えた。当該構成を備えることにより、操作者に対して、対策の要否を判定する際の情報を適切に提示することができる。
2019102614.tif 000002
【特許請求の範囲】
【請求項１】
同一層別内の品質精度の分布と対象の鋼材の品質精度との関係から深刻度を演算する演算部と、
前記演算部により演算された深刻度の情報を表示装置に表示させる表示制御部と、
を備えた鉄鋼プラントのメンテナンス支援装置。
【請求項２】
前記表示制御部は、イベント前後の品質精度の情報を前記表示装置に表示させる請求項１に記載の鉄鋼プラントのメンテナンス支援装置。
【請求項３】
前記表示制御部は、イベント前後の品質精度の情報として、当該イベント前後の品質精度を示す数字の情報を前記表示装置に表示させる請求項２に記載の鉄鋼プラントのメンテナンス支援装置。
【請求項４】
前記表示制御部は、イベント前後の品質精度の情報として、当該イベントのタイミングを含む当該イベントの前後の品質精度を示す時系列変化の情報を前記表示装置に表示させる請求項２に記載の鉄鋼プラントのメンテナンス支援装置。
【請求項５】
前記表示制御部は、当該イベントが指定された際に当該イベントの内容を示す情報を前記表示装置に表示させる請求項２から請求項４のいずれか１項に記載の鉄鋼プラントのメンテナンス支援装置。
【請求項６】
前記表示制御部は、複数の品質のチャートの情報を前記表示装置に表示させ、基準値を下回った品質が存在した場合に当該品質のチャートの情報に対して目印の情報を付加して前記表示装置に表示させる請求項１から請求項５のいずれか１項に記載の鉄鋼プラントのメンテナンス支援装置。
【請求項７】
前記表示制御部は、当該品質に対して類似した波形パターンが登録されている場合は、当該品質のチャートの情報に対して当該波形パターンの情報を重ねて前記表示装置に表示させる請求項６に記載の鉄鋼プラントのメンテナンス支援装置。
【請求項８】
前記表示制御部は、当該波形パターンに対する対策内容の情報を前記表示装置に表示させる請求項７に記載の鉄鋼プラントのメンテナンス支援装置。
【発明の詳細な説明】
【技術分野】
【０００１】
この発明は、鉄鋼プラントのメンテナンス支援装置に関する。
【背景技術】
【０００２】
特許文献１は、品質異常の原因推定支援システムを開示する。当該原因推定支援システムにおいては、品質評価の指標と製造工程における条件の候補との相関関係が自動的に提示される。
【先行技術文献】
【特許文献】
【０００３】
【特許文献１】日本特許第６１１６４４５号公報
【発明の概要】
【発明が解決しようとする課題】
【０００４】
しかしながら、特許文献１に記載のものは、品質を維持するための対策の要否を判定する際の情報を提示しない。このため、メンテナンス作業が適切に行われないこともある。【０００５】
この発明は、上述の課題を解決するためになされた。この発明の目的は、操作者に対して、対策の要否を判定する際の情報を適切に提示することができる鉄鋼プラントのメンテナンス支援装置を提供することである。
【課題を解決するための手段】
【０００６】
この発明に係る鉄鋼プラントのメンテナンス支援装置は、同一層別内の品質精度の分布と対象の鋼材の品質精度との関係から深刻度を演算する演算部と、前記演算部により演算された深刻度の情報を表示装置に表示させる表示制御部と、を備えた。
【発明の効果】
【０００７】
この発明によれば、メンテナンス支援装置は、深刻度の情報を表示装置に表示させる。このため、操作者に対して、品質を維持するための対策の要否を判定する際の情報を適切に提示することができる。
【図面の簡単な説明】
【０００８】
【図１】実施の形態１における鉄鋼プラントのメンテナンス支援装置が適用される鉄鋼プラントの模式図である。
【図２】実施の形態１における鉄鋼プラントのメンテナンス支援装置により制御された表示装置の画面の例を説明するための図である。
【図３】実施の形態１における鉄鋼プラントのメンテナンス支援装置により制御された表示装置が表示する製品情報を説明するための図である。
【図４】実施の形態１における鉄鋼プラントのメンテナンス支援装置により制御された表示装置が表示する品質精度情報を説明するための図である。
【図５】実施の形態１における鉄鋼プラントのメンテナンス支援装置により制御された表示装置が表示する３次元情報を説明するための図である。
【図６】実施の形態１における鉄鋼プラントのメンテナンス支援装置により制御された表示装置が表示する品質チャート情報を説明するための図である。
【図７】実施の形態１における鉄鋼プラントのメンテナンス支援装置により制御された表示装置が表示する品質チャート情報を説明するための図である。
【図８】実施の形態１における鉄鋼プラントのメンテナンス支援装置により制御された表示装置が表示する品質精度の分布の情報を説明するための図である。
【図９】実施の形態１における鉄鋼プラントのメンテナンス支援装置により制御された表示装置が表示する品質精度の時系列変化の情報を説明するための図である。
【図１０】実施の形態１における鉄鋼プラントのメンテナンス支援装置により制御された表示装置が表示するイベントの情報を説明するための図である。
【図１１】実施の形態１における鉄鋼プラントのメンテナンス支援装置へのイベントの登録を説明するための図である。
【図１２】実施の形態１における鉄鋼プラントのメンテナンス支援装置への対策の登録を説明するための図である。
【図１３】実施の形態１における鉄鋼プラントのメンテナンス支援装置への波形パターンの登録を説明するための図である。
【図１４】実施の形態１における鉄鋼プラントのメンテナンス支援装置への３次元情報の各項目の登録を説明するための図である。
【図１５】実施の形態１における鉄鋼プラントのメンテナンス支援装置の動作の概要を説明するためのフローチャートである。
【図１６】実施の形態１における鉄鋼プラントのメンテナンス支援装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１における鉄鋼プラントのメンテナンス支援装置が適用される鉄鋼プラントの模式図である。
【００１１】
図１において、鉄鋼プラント１は、複数の設備を備える。複数の設備の各々は、複数のセンサの各々を備える。
【００１２】
制御システム２は、複数の設備の各々に対して指令データｄ１を送信する。複数の設備の各々は、指令データｄ１に基づいて動作する。この際、複数のセンサの各々は、実績データを収集する。実績データのうち、実績データｄ２は、制御システム２に使用される。
【００１３】
鋼板３は、複数の設備により加熱、加工、冷却、巻取りの過程を経る。その結果、製品が製造される。
【００１４】
表示装置４は、情報を表示し得るように設けられる。
【００１５】
メンテナンス支援装置５は、記憶部５ａと演算部５ｂと表示制御部５ｃを備える。
【００１６】
記憶部５ａは、実績データｄ２と制御システム２における途中演算データと演算結果データとを合わせたデータｄ３を記憶する。記憶部５ａは、複数のセンサの各々の実績データのうち、実績データｄ４を記憶する。
【００１７】
演算部５ｂは、データｄ３と実績データｄ４とを合わせたデータｄ５を記憶部５ａから受信する。演算部５ｂは、データｄ５に基づいて鉄鋼プラント１のメンテナンスを支援するために必要な演算を行う。
【００１８】
表示制御部５ｃは、演算部５ｂの演算結果に基づいて鉄鋼プラント１のメンテナンスに必要な情報を表示装置４に表示させる。
【００１９】
操作者６は、表示装置４に表示された情報に基づいて鉄鋼プラント１のメンテナンスを行う。
【００２０】
例えば、製品の鋼種、板厚、板幅の範囲により層別に特有の異常が存在する場合、操作者６は、操業条件に合わせて制御システム２の動作を決定するために層別に管理されたパラメータテーブルの変更方法を検討した後に対策を実行する。
【００２１】
次に、図２を用いて、表示装置４の画面の例を説明する。
図２は実施の形態１における鉄鋼プラントのメンテナンス支援装置により制御された表示装置の画面の例を説明するための図である。
【００２２】
図２に示されるように、表示装置４は、製品情報と品質精度情報と３次元情報と品質チャート情報とを表示する。
【００２３】
製品情報は、表示装置４の画面の左上に表示される。品質精度情報は、表示装置４の画面の左下に表示される。３次元情報は、表示装置４の画面の右上に表示される。品質チャート情報は、表示装置４の画面の右下に表示される。
【００２４】
次に、図３を用いて、製品情報を説明する。
図３は実施の形態１における鉄鋼プラントのメンテナンス支援装置により制御された表示装置が表示する製品情報を説明するための図である。
【００２５】
図３に示されるように、製品情報は、主に時々刻々に製造される鋼板３の情報である。例えば、製品情報として、製品管理番号が表示される。例えば、製品情報として、指示値が表示される。例えば、製品情報として、制御パラメータ管理番号が表示される。
【００２６】
製品管理番号は、製品に固有の管理番号である。指示値は、製品の鋼種、板厚、板幅、温度等の各指標に対する目標値である。制御パラメータ管理番号は、製品の鋼種、板厚、板幅の範囲により層別に管理されたパラメータテーブルに固有の番号である。
【００２７】
次に、図４を用いて、品質精度情報を説明する。
図４は実施の形態１における鉄鋼プラントのメンテナンス支援装置により制御された表示装置が表示する品質精度情報を説明するための図である。
【００２８】
図４に示されるように、品質精度情報は、それぞれの品質管理項目の精度の情報である。品質精度情報の右側の領域には、パラメータ管理番号が同じ製品の集合に対して同一層別内統計値の情報が表示される。例えば、同一層別内統計値の情報として、同一層別内の品質精度の平均値の情報が表示される。例えば、同一層別内統計値の情報として、同一層別内の過去の圧延材の本数の情報が表示される。例えば、同一層別内統計値の情報として、同一層別内の深刻度の情報が表示される。
【００２９】
精度が管理基準値を下回って品質異常となった場合、目印が表示される。例えば、温度が異常の場合は、温度の表示領域が太枠線により囲まれて表示される。
【００３０】
次に、図５を用いて、３次元情報を説明する。
図５は実施の形態１における鉄鋼プラントのメンテナンス支援装置により制御された表示装置が表示する３次元情報を説明するための図である。
【００３１】
３次元情報は、いくつかの品質管理項目の精度とそれ以外の３つの項目について過去から現在までに圧延した鋼板３の情報が３次元でプロットされた情報である。最新の鋼板３の情報は、分かりやすく表示される。
【００３２】
例えば、３次元情報は、品質精度と鋼種管理番号と製品板厚との３つの項目について３次元でプロットされる。例えば、最新の鋼板３の情報は、赤色でプロットされる。例えば、３次元情報は、最新の鋼板３の精度がどのような状態にあるかを過去に圧延された鋼板３の精度とも比較しながら確認する際に使用される。例えば、３次元情報は、どの鋼種と板厚とにおいて精度の劣化の傾向を確認する際にも使用される。
【００３３】
次に、図６と図７とを用いて、品質チャート情報を説明する。
図６と図７とは実施の形態１における鉄鋼プラントのメンテナンス支援装置により制御された表示装置が表示する品質チャート情報を説明するための図である。
【００３４】
品質チャート情報は、複数の品質管理項目の全長チャートの情報である。複数の全長チャートの各々に合わせて、製品管理の偏差許容範囲が表示される。偏差許容範囲は、品質管理項目が許容範囲を超えている否かを確認する際に使用される。
【００３５】
図７に示されるように、全長チャートに対しての製品精度の演算結果が基準値を下回る場合は、目印が表示される。
【００３６】
例えば、左下の全長チャートに対応した品質管理項目が異常の場合、左下のチャートが太枠線により囲まれて表示される。さらに、過去に登録された波形パターンに類似した波形が存在する場合、自動的に類似の波形パターンが重ねて表示される。例えば、太枠線により囲まれた領域が左クリック等により指定されると、波形パターンに紐づけられた過去の対策内容の情報が表示される。当該内容は、同じ対策が有効であるか否かを検討する際に使用される。
【００３７】
次に、図８を用いて、品質精度の分布を説明する。
図８は実施の形態１における鉄鋼プラントのメンテナンス支援装置により制御された表示装置が表示する品質精度の分布の情報を説明するための図である。
【００３８】
品質が異常の場合、太枠線により囲まれた領域が左クリック等により指定されると、同一層別内における過去の品質精度の分布の情報が表示される。
【００３９】
図８に示されるように、対象の鋼板３の品質精度が９０％よりも大きくて９２％以下の場合、当該精度に対応する棒グラフが赤色で表示される。同一層別内の品質精度の分布と対象の鋼材の品質精度との関係に基づいて、状況が深刻であるか否かが確認される。具体的には、深刻度Ａｂが確認される。例えば、深刻度Ａｂは、以下の方法で演算される。
【００４０】
Ｎは、過去の同一層別の圧延本数である。ｑｉは、過去の同一層別における鋼板３の品質精度である。ｑＬは、対象の品質管理項目の精度の管理基準値である。ｑＩは、対象の鋼板３の品質精度である。
【００４１】
ｑｉがｑＬよりも小さくなる本数ＮＡが演算される。この際、管理基準値ｑＬを下回った鋼板３の本数の割合Ｒは、以下の（１）式で演算される。
【００４２】
Ｒ＝ＮＡ／Ｎ×１００  （％）      （１）
【００４３】
ｑＩがｑＬよりも小さい場合、深刻度Ａｂは、次の（２）式で演算される。
【００４４】
Ａｂ＝Ｒ＋Ｃ・（１００−Ｒ）      （２）
【００４５】
（２）において、Ｃは、調整係数である。調整係数Ｃは、０から１の間の数値である。例えば、ｑＬ−ｑＩの値が大きい場合、調整係数Ｃは大きくなるように設定される。
【００４６】
次に、図９を用いて、品質精度の時系列変化を説明する。
図９は実施の形態１における鉄鋼プラントのメンテナンス支援装置により制御された表示装置が表示する品質精度の時系列変化の情報を説明するための図である。
【００４７】
品質が異常の場合、太枠線により囲まれた領域が右クリック等により指定されると、同一層別内における過去の品質精度の時系列変化の情報が表示される。
【００４８】
図９に示されるように、品質精度の時系列変化の情報においては、イベントタイミング線と対策タイミング線とが表示される。イベントタイミング線は、イベントが発生したタイミングを示す線である。イベントタイミング線の上部には、丸印が表示される。対策タイミング線は、対策を施したタイミングを示す線である。対策タイミング線の上部には、三角印が表示される。
【００４９】
図９においては、対策タイミング線の後から品質精度が悪くなっている。
【００５０】
次に、図１０を用いて、イベントを説明する。
図１０は実施の形態１における鉄鋼プラントのメンテナンス支援装置により制御された表示装置が表示するイベントの情報を説明するための図である。
【００５１】
図９の丸印が左クリック等により指定されると、イベントの内容を示す情報が表示される。三角印が左クリック等により指定されると、対策の内容を示す情報が表示される。
【００５２】
例えば、図１０に示されるように、イベントに関する情報が表示される。具体的には、イベントの時刻と内容とイベント前後の品質精度の平均値とが表示される。当該情報は、当該対策内容と品質精度との因果関係があるか否かを検討する際に使用される。
【００５３】
次に、図１１を用いて、イベントの登録を説明する。
図１１は実施の形態１における鉄鋼プラントのメンテナンス支援装置へのイベントの登録を説明するための図である。
【００５４】
図１１に示されるように、イベントの登録画面においては、「日時」と「イベント」と「登録」とが表示される。
【００５５】
「日時」の欄には、イベントが発生した日時の情報が入力される。「イベント」の欄には、イベントの内容の情報が入力される。
【００５６】
「日時」の欄と「イベント」の欄とに情報が入力された状態で、「登録」が指定されると、イベントの登録が完了する。
【００５７】
例えば、イベントは、直接的には品質に関係しないと思われる項目もイベントとして登録される。例えば、圧延機のロール交換等の設備のメンテナンスもイベントとして登録される。例えば、制御システム２のメンテナンスもイベントとして登録される。
【００５８】
次に、図１２を用いて、対策の登録を説明する。
図１２は実施の形態１における鉄鋼プラントのメンテナンス支援装置への対策の登録を説明するための図である。
【００５９】
図１２に示されるように、対策の登録画面においては、「日時」と「品質管理項目」と「対策」と「波形パターン」と「キー情報」と「登録」とが表示される。
【００６０】
「日時」の欄には、対策の実行日時の情報が入力される。「品質管理項目」の欄には、対象の品質管理項目の情報が入力される。「対策」の欄には、対策の内容の情報が入力される。「波形パターン」の欄には、対策の対象となる波形パターンが存在する場合に当該波形パターンの情報が入力される。「キー情報」の欄には、後から必要になると思われる情報が入力される。例えば、板幅の品質精度と関係することが多い粗圧延機での操業パターンの情報が「キー情報」として入力される。
【００６１】
少なくとも「日時」の欄と「品質管理項目」の欄と「対策」の欄とに情報が入力された状態で、「登録」が指定されると、対策の登録が完了する。
【００６２】
次に、図１３を用いて、波形パターンの登録を説明する。
図１３は実施の形態１における鉄鋼プラントのメンテナンス支援装置への波形パターンの登録を説明するための図である。
【００６３】
図１３に示されるように、波形パターンの登録画面においては、「Ｘ」と「Ｙ」と「登録」とが表示される。
【００６４】
「Ｘ」の欄と「Ｙ」の欄とには、数値の情報が入力される。この際、登録画面の下部には、「Ｘ」の欄と「Ｙ」の欄とに入力された数値に対応した波形パターンが表示される。
【００６５】
「Ｘ」の欄と「Ｙ」の欄とが入力された状態で、「登録」が指定されると、波形パターンの登録が完了する。
【００６６】
次に、図１４を用いて、３次元情報の各項目の登録を説明する。
図１４は実施の形態１における鉄鋼プラントのメンテナンス支援装置への３次元情報の各項目の登録を説明するための図である。
【００６７】
図１４に示されるように、３次元情報の各項目の登録画面においては、「Ｘ」と「Ｙ」と「Ｚ」とが表示される。
【００６８】
「Ｘ」の欄と「Ｙ」の欄と「Ｚ」の欄とにおいては、鋼種番号と製品板厚と製品板幅とパラメータ管理鋼種区分とパラメータ管理板厚区分とパラメータ管理板幅区分と各品質項目の精度の中から選択される。
【００６９】
次に、図１５を用いて、メンテナンス支援装置の動作の概要を説明する。
図１５は実施の形態１における鉄鋼プラントのメンテナンス支援装置の動作の概要を説明するためのフローチャートである。
【００７０】
ステップＳ１では、メンテナンス支援装置５は、製品情報と品質精度情報と３次元情報と品質チャート情報とを表示装置４に表示させる。その後、メンテナンス支援装置５は、ステップＳ２の動作を行う。ステップＳ２では、メンテナンス支援装置５は、品質精度情報において異常な品質の情報が第１方法で指定されたか否かを判定する。
【００７１】
ステップＳ２で異常な品質の情報が第１方法で指定されない場合、メンテナンス支援装置５は、ステップＳ３の動作を行う。ステップＳ３では、メンテナンス支援装置５は、品質精度情報において異常な品質の情報が第２方法で指定されたか否かを判定する。
【００７２】
ステップＳ３で異常な品質の情報が第２方法で指定されない場合、メンテナンス支援装置５は、ステップＳ２の動作を行う。
【００７３】
ステップＳ２で異常な品質の情報が第１方法で指定された場合、メンテナンス支援装置５は、ステップＳ４の動作を行う。ステップＳ４では、メンテナンス支援装置５は、同一層別内における過去の品質精度の分布の情報を表示装置４に表示させる。
【００７４】
ステップＳ３で異常な品質の情報が第２方法で指定された場合、メンテナンス支援装置５は、ステップＳ５の動作を行う。ステップＳ５では、メンテナンス支援装置５は、同一層別内における過去の品質精度の時系列変化の情報を表示装置４に表示させる。その後、メンテナンス支援装置５は、ステップＳ６の動作を行う。
【００７５】
ステップＳ６では、メンテナンス支援装置５は、イベント等を示す情報が指定されたか否かを判定する。
【００７６】
ステップＳ６でイベント等を示す情報が指定されない場合、メンテナンス支援装置５は、ステップＳ５の動作を行う。
【００７７】
ステップＳ６でイベント等を示す情報が指定された場合、メンテナンス支援装置５は、ステップＳ７の動作を行う。
【００７８】
ステップＳ７では、メンテナンス支援装置５は、イベントの内容の情報を表示装置４に表示させる。
【００７９】
以上で説明した実施の形態１によれば、メンテナンス支援装置５は、深刻度の情報を表示装置４に表示させる。このため、操作者６に対して、品質を維持するための対策の要否を判定する際の情報を適切に提示することができる。
【００８０】
また、メンテナンス支援装置５は、イベント前後の品質精度の情報を表示装置４に表示させる。このため、操作者６に対して、品質精度に対するイベントの影響を即座に提示することができる。
【００８１】
例えば、メンテナンス支援装置５は、当該イベント前後の品質精度を示す数字の情報を表示装置４に表示させる。このため、操作者６に対して、品質精度に対するイベントの影響を定量的に即座に提示することができる。
【００８２】
例えば、メンテナンス支援装置５は、当該イベントのタイミングを含む当該イベントの前後の品質精度の時系列変化の情報を表示装置４に表示させる。このため、操作者６に対して、品質精度に対するイベントの影響を定性的に即座に提示することができる。
【００８３】
また、メンテナンス支援装置５は、当該イベントが指定された際に当該イベントの内容を示す情報を表示装置４に表示させる。このため、操作者６に対して、品質精度に影響したイベントの内容を詳細に提示することができる。
【００８４】
また、メンテナンス支援装置５は、複数の品質のチャートの情報を表示装置４に表示させ、基準値を下回った品質が存在した場合に当該品質のチャートの情報に対して目印の情報を付加して表示装置４に表示させる。このため、操作者６に対して、異常な精度となった品質を即座に提示することができる。
【００８５】
また、メンテナンス支援装置５は、当該品質に対して類似した波形パターンが登録されている場合は、当該品質のチャートの情報に対して当該波形パターンの情報を重ねて表示装置４に表示させる。このため、操作者６に対して、過去にも同様の異常が発生したことを即座に提示することができる。
【００８６】
また、メンテナンス支援装置５は、当該波形パターンに対する対策の内容の情報を表示装置４に表示させる。このため、操作者６に対して、適切な対策内容を詳細に提示することができる。
【００８７】
このように、メンテナンス支援装置５は、品質の異常発生を即座に把握して対策を実行することにより異常を取り除く一連の作業を支援する。また、数多くの経験が必要とされる複雑な内容を含む一連の作業および技術を後継者へ容易に伝達することができる。
【００８８】
次に、図１６を用いて、メンテナンス支援装置５の例を説明する。
図１６は実施の形態１における鉄鋼プラントのメンテナンス支援装置のハードウェア構成図である。
【００８９】
メンテナンス支援装置５の各機能は、処理回路により実現し得る。例えば、処理回路は、少なくとも１つのプロセッサ７ａと少なくとも１つのメモリ７ｂとを備える。例えば、処理回路は、少なくとも１つの専用のハードウェア８を備える。
【００９０】
処理回路が少なくとも１つのプロセッサ７ａと少なくとも１つのメモリ７ｂとを備える場合、メンテナンス支援装置５の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、メンテナンス支援装置５の各機能を実現する。少なくとも１つのプロセッサ７ａは、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００９１】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、メンテナンス支援装置５の各機能は、それぞれ処理回路で実現される。例えば、メンテナンス支援装置５の各機能は、まとめて処理回路で実現される。
【００９２】
メンテナンス支援装置５の各機能について、一部を専用のハードウェア８で実現し、他部をソフトウェアまたはファームウェアで実現してもよい。例えば、表示制御部５ｃの機能については専用のハードウェア８としての処理回路で実現し、表示制御部５ｃの機能以外の機能については少なくとも１つのプロセッサ７ａが少なくとも１つのメモリ７ｂに格納されたプログラムを読み出して実行することにより実現してもよい。
【００９３】
このように、処理回路は、ハードウェア８、ソフトウェア、ファームウェア、またはこれらの組み合わせでメンテナンス支援装置５の各機能を実現する。
【産業上の利用可能性】
【００９４】
以上のように、この発明に係る鉄鋼プラントのメンテナンス支援装置は、操作者に対して、対策の要否を判定する際の情報を適切に提示するシステムに利用できる。
【符号の説明】
【００９５】
１  鉄鋼プラント、  ２  制御システム、  ３  鋼板、  ４  表示装置、  ５  メンテナンス支援装置、  ５ａ  記憶部、  ５ｂ  演算部、  ５ｃ  表示制御部、  ６  操作者、  ７ａ  プロセッサ、  ７ｂ  メモリ、  ８  ハードウェア
【図１】
2019102614.tif 000003
【図２】
2019102614.tif 000004
【図３】
2019102614.tif 000005
【図４】
2019102614.tif 000006
【図５】
2019102614.tif 000007
【図６】
2019102614.tif 000008
【図７】
2019102614.tif 000009
【図８】
2019102614.tif 000010
【図９】
2019102614.tif 000011
【図１０】
2019102614.tif 000012
【図１１】
2019102614.tif 000013
【図１２】
2019102614.tif 000014
【図１３】
2019102614.tif 000015
【図１４】
2019102614.tif 000016
【図１５】
2019102614.tif 000017
【図１６】
2019102614.tif 000018
【国際調査報告】
2019102614.tif 000019
2019102614.tif 000020
2019102614.tif 000021